(57)【要約】【課題】  リラックスしながら着座して鍵盤楽器の演奏を行うことができる鍵盤楽器演奏用椅子を提供すること。【解決手段】  平面視略長方形状に設けられた座部１１と、この座部１１を下方から所定の高さ位置に支持する支持体１２と、座部１１の後方に設けられた背もたれ１４と、座部１１の左右両側部に設けられた一対の肘掛け１５，１５とを備えて椅子１０が構成されている。背もたれ１４は、後部連結体２５を介して支持体１２に支持され、肘掛け１５は、側部連結体３２を介して支持体１２にそれぞれ支持されている。背もたれ１４は、ボルト部材２９を挿通する後部連結体２５に形成された複数の穴２７Ａの位置を変えることで高さ位置を調整可能に設けられている。肘掛け１５は、ボルト部材３６を挿通する側部連結体３２に形成された複数の穴３３Ａの位置を変えることで高さ位置を調整可能に設けられている。【選択図】      図１
2007020984.tif 000002
【特許請求の範囲】
【請求項１】
座部と、この座部を所定の高さ位置に支持する支持体とを有する鍵盤楽器演奏用椅子において、
前記座部の後部には背もたれが設けられ、この背もたれは、背もたれ高さ調整部を介して高さ位置を調整可能に設けられていることを特徴とする鍵盤楽器演奏用椅子。
【請求項２】
座部と、この座部を所定の高さ位置に支持する支持体とを有する鍵盤楽器演奏用椅子において、
前記座部の側部には肘掛けが設けられ、この肘掛けは肘掛け高さ調整部を介して高さ位置を調整可能に設けられていることを特徴とする鍵盤楽器演奏用椅子。
【請求項３】
座部と、この座部を所定の高さ位置に支持する支持体とを有する鍵盤楽器演奏用椅子において、
前記座部の後部には背もたれが設けられ、この背もたれは、背もたれ高さ調整部を介して高さ位置を調整可能に設けられている一方、
前記座部の側部には肘掛けが設けられ、この肘掛けは、肘掛け高さ調整部を介して高さ位置を調整可能に設けられていることを特徴とする鍵盤楽器演奏用椅子。
【請求項４】
前記背もたれ高さ調整部及び又は肘掛け高さ調整部は、前記支持体に背もたれ及び又は肘掛けを着脱自在に設けていることを特徴とする請求項１，２又は３記載の鍵盤楽器演奏用椅子。
【請求項５】
前記座部は、長手方向両側に前記肘掛けが位置する平面視略長方形状に設けられている一方、
前記肘掛けは、肘を乗せるための上面部を備え、この上面部は、平面視で座部と重なる位置に設けられていることを特徴とする請求項４記載の鍵盤楽器演奏用椅子。
【発明の詳細な説明】
【技術分野】
【０００１】
本発明は、鍵盤楽器演奏用椅子に係り、更に詳しくは、リラックスしながら鍵盤楽器を演奏することができる鍵盤楽器演奏用椅子に関する。
【背景技術】
【０００２】
高齢者等のリハビリテーションでは、運動機能の低下抑制、回復を図るべく種々の試みがなされているが、単調な運動の繰り返しとなることが多いために継続性を保つことが難しいという問題がある。かかる問題を解消すべく、複数人の高齢者等により音楽を演奏するプログラムが利用されつつあり、当該プログラムでは、電子ピアノやオルガン等の公知の鍵盤楽器を用いる場合がある。このような鍵盤楽器にあっては、鍵盤だけでなく足によって複数のペダルを踏みながら演奏する必要性から、前後幅が小さく横長の座部を備えた椅子を利用する場合が多い（特許文献１及び２参照）。
【０００３】
【特許文献１】特開２０００−２６２３５３号公報
【特許文献２】特開平１０−１８７１４２号公報
【発明の開示】
【発明が解決しようとする課題】
【０００４】
しかしながら、このような椅子は、背もたれや肘掛けを備えていないので、着座時に上半身を寄り掛けることができなくなり、演奏中に生じる体力的な負担が大きいという不都合がある。また、複数人で種々の楽器を用いてリハビリテーションを行う場合、受持ち以外の時間等では、楽な体勢で着座したいという要請がある。特に、リハビリテーションを行う人達は、姿勢や体格、障害のレベル等の差が大きい傾向があり、当該姿勢や体格等に対応できるようにする要請もある。
【０００５】
［発明の目的］
本発明は、このような不都合及び要請に基づいて案出されたものであり、その目的は、特に、高齢者や障害者等において、リラックスしながら着座して鍵盤楽器の演奏を行うことができる鍵盤楽器演奏用椅子を提供することにある。
【課題を解決するための手段】
【０００６】
前記目的を達成するため、本発明は、座部と、この座部を所定の高さ位置に支持する支持体とを有する鍵盤楽器演奏用椅子において、
前記座部の後部には背もたれが設けられ、この背もたれは、背もたれ高さ調整部を介して高さ位置を調整可能に設けられる、という構成が採用されている。
【０００７】
また、本発明は、座部と、この座部を所定の高さ位置に支持する支持体とを有する鍵盤楽器演奏用椅子において、
前記座部の側部には肘掛けが設けられ、この肘掛けは肘掛け高さ調整部を介して高さ位置を調整可能に設けられる、という構成も採用される。この構成において、前記座部の後部には背もたれが設けられ、この背もたれは、背もたれ高さ調整部を介して高さ位置を調整可能に設ける構成を併せて採用してもよい。
【０００８】
本発明において、前記背もたれ高さ調整部及び又は肘掛け高さ調整部は、前記支持体に背もたれ及び又は肘掛けを着脱自在に設ける、という構成を採ることが好ましい。
【０００９】
また、前記座部は、長手方向両側に前記肘掛けが位置する平面視略長方形状に設けられている一方、
前記肘掛けは、肘を乗せるための上面部を備え、この上面部は、平面視で座部と重なる位置に設けられる、という構成も好ましくは採用される。
【００１０】
なお、本明細書及び特許請求の範囲における方向若しくは位置を示す用語は、椅子を正面視した場合すなわち図１中矢印Ａ方向から見た場合を基準とし、「前」とは、矢印Ａ方向から見た場合の手前側を示す一方、「後」とは、同奥行き側について用いられる。また、「平面視」とは、図２中上側から椅子を見た場合について用いられる。
【発明の効果】
【００１１】
本発明によれば、高齢者等が着座して鍵盤楽器を演奏する際に、背もたれや肘掛けを丁度良い高さ位置として上半身を寄り掛けることができ、楽な体勢でリラックスして演奏することができる。これにより、リハビリテーション等では、姿勢や体格の異なる不特定多数の着座者の負担を軽減可能となり、鍵盤楽器を演奏する意欲を増大若しくは促進させ、ひいては、運動機能回復効果を向上させることが可能となる。
【００１２】
また、支持体に対して背もたれや肘掛けを着脱自在とすれば、当該背もたれや肘掛けを取り外すことで、従来タイプの鍵盤楽器演奏用椅子と兼用することが可能となる。
【００１３】
更に、座部が平面視略長方形状に設けられ、座部と重なる位置に肘掛けの上面部を設けたので、肘掛けが着座者側に近付いてより一層寄り掛かり易くすることができ、且つ、肘掛けと座部との間に手荷物等の物置スペースを形成することが可能となる。
【発明を実施するための最良の形態】
【００１４】
以下、本発明の好ましい実施の形態について図面を参照しながら説明する。
【００１５】
図１には、実施形態に係る鍵盤楽器演奏用椅子の概略斜視図が示されている。また、図２には、図１の背面図が示され、図３には、図１の右側面図が示されている。これらの図において、椅子１０は、ピアノ、電子ピアノ、オルガン、電子オルガン、キーボード等の鍵盤楽器を演奏用に利用され、前方に前記鍵盤楽器が位置する状態で着座しながら演奏を行えるようになっている。椅子１０は、平面視で左右に長い略長方形状に設けられた座部１１と、この座部１１を下方から所定の高さ位置に支持する支持体１２と、座部１１の後方に設けられた背もたれ１４と、座部１１の左右両側部に設けられた一対の肘掛け１５，１５とを備えて構成されている。
【００１６】
前記支持体１２は、座部１１の各コーナー下部側から垂下する四本の脚部１７と、前後に並ぶ脚部１７，１７の上部間を連結する一対の側部材１８，１８と、左右に並ぶ脚部の上部間を連結する前部材１９及び後部材２０と、これら各側部材１８、前部材１９及び後部材２０の内側に設けられて座部１１を上下動可能に支持する昇降手段２２とを備えて構成されている。昇降手段２２は、複数のＸリンクバー２３（図２参照）及び図示しない操作部材を備えた公知の構造とされ、当該操作部材を所定操作することにより、任意の高さ位置で座部１１を移動規制可能に設けられている。
【００１７】
前記背もたれ１４は、座部１１より若干短い左右幅を備えた横長の略長方形状に設けられるとともに、鉛直方向に対して上側が約２０°傾倒する方向に向けられている。背もたれ１４は、左右に並ぶ二本の後部連結体２５，２５を介して前記支持体１２に支持されている。
【００１８】
前記後部連結体２５は、背もたれ１４の後面に取り付けられた傾斜面部２６と、この傾斜面部２６の下端側から垂下する垂下面部２７とを有する屈曲した板状に形成されている。垂下面部２７の下方領域には、上下方向に沿って複数の穴２７Ａが設けられ、当該穴２７Ａは、ボルト部材２９を挿通可能に設けられている。また、垂下面部２７と後部材２０との間には、当該後部材２０の後面に取り付けられた補強板３０が設けられ、この補強板３０に前記ボルト部材２９と螺合するねじ穴３０Ａが形成されている。従って、穴２７Ａ及びねじ穴３０Ａにボルト部材２９を挿通して螺合することで、後部連結体２５，２５及び背もたれ１４が支持体１２に装着される。この一方、ねじ穴３０Ａ及びボルト部材２９の螺合を解除することで、後部連結体２５，２５及び背もたれ１４が支持体１２から取り外され、これにより、支持体１２に背もたれ１４が着脱自在に設けられることとなる。また、支持体１２に背もたれ１４を再度装着するときに、異なる高さ位置の穴２７Ａにボルト部材２９を挿通することで、背もたれ１４の高さ位置を調整することが可能となる。ここにおいて、前記傾斜面部２６、穴２７Ａが形成された垂下面部２７を含む各後部連結体２５，２５と、ボルト部材２９と、ねじ穴３０Ａとにより背もたれ高さ調整部が構成される。
【００１９】
前記各肘掛け１５，１５は、平面視で前後幅が左右幅の約２倍となる略長方形状にそれぞれ形成され、略水平方向に向けられて着座者の肘が乗せられる上面部１５Ａを備えている。各肘掛け１５，１５は、前後に並ぶ二本の側部連結体３２，３２を介して前記支持体１２にそれぞれ支持され、座部１１の側方に向かってはみ出すように位置する。
【００２０】
前記側部連結体３２は、上下方向に延びる鉛直面部３３と、この鉛直面部３３の上端側に連なって座部１１と反対方向に向けられるとともに、上面側に肘掛け１５が取り付けられる水平面部３４とを有する屈曲した板状に形成されている。鉛直面部３３の下方領域では、前記垂下面部２７の下方領域と略同一の構造が採用されている。すなわち、鉛直面部３３の下方領域には、上下方向に沿って複数の穴３３Ａが設けられ、当該穴３３Ａは、ボルト部材３６を挿通可能に設けられている。また、鉛直面部３３と側部材１８との間には、当該側部材１８の外面に取り付けられた補強板３７が設けられ、この補強板３７に前記ボルト部材３６と螺合するねじ穴３７Ａが形成されている。従って、側部連結体３２、ボルト部材３６及びねじ穴３７Ａを用いることにより、前述の背もたれ１４と同様の作業によって肘掛け１５を支持体１２に着脱自在に装着でき、また、肘掛け１５の高さ位置を調整することが可能となる。ここにおいて、前記水平面部３４、穴３３Ａが形成された鉛直面部３３を含む各側部連結体３２，３２と、ボルト部材３６と、ねじ穴３７Ａとにより肘掛け高さ調整部が構成される。
【００２１】
なお、座部１１、背もたれ１４及び各肘掛け１５，１５は、剛性を有する板状部材としてもよいが、板状の芯材にウレタン等のクッション材を配してクロス材若しく皮革製の表装材によりカバーしたものが好ましくは利用される。
【００２２】
従って、このような実施形態によれば、座部１１とは独立して支持体１２に対する背もたれ１４や各肘掛け１５，１５の高さ位置を容易に調整することができる。これにより、背もたれ１４や各肘掛け１５，１５に、着座者の上半身をもたれ掛け易くすることができ、鍵盤楽器の演奏中や演奏の合間に楽な体勢でリラックスすることが可能となる。従って、特に、リハビリテーションで椅子１０に着座しながら鍵盤楽器を演奏する場合には、当該演奏に対する集中力を増大させたり、演奏する意欲を向上させ、より良いリハビリテーション効果を奏することが期待できる。
また、ボルト部材２９，３６等を介して、支持体１２から背もたれ１４や肘掛け１５を取り外すと同時に、各後部連結体２５及び各側部連結体３２も支持体１２から取り外すことができ、背もたれ１４や肘掛け１５を備えていない従来タイプの鍵盤楽器演奏用椅子と同様の構造として利用することも可能となる。
【００２３】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２４】
例えば、肘掛け１５の位置は変更してもよく、図４及び図５に示されるように、平面視で、肘掛け１５の上面部１５Ａが座部１１と重なるように位置するように設けてもよい。この場合、側部連結体３２の水平面部３４が内側に向けられて座部１１の上方に位置することとなる。これによれば、前記実施形態より座部１１の左右長さを長くしても、着座者が肘掛け１５に楽に寄り掛かることができる他、肘掛け１５下方の座部１１上に手荷物等の物置用スペースを確保することが可能となる。
【００２５】
また、後部連結体２５及び側部連結体３２は、背もたれ１４や肘掛け１５に対して少なくとも一本ずつ設ければよく、更に増設したりしてもよい。
【００２６】
更に、背もたれ１４や肘掛け１５を着脱したり高さ位置を調整するための構造は、種々の変更が可能であり、例えば、後部連結体２５又は側部連結体３２と支持体１２とを貫通して係合するピンを用いたり、連結体２５，３２と支持体１２を重ねた状態で挟み込むアタッチメントを用いたりしてもよい。
【００２７】
また、支持体１２は、脚部１１の本数を増減したり、前記昇降手段２２を省略する等、種々の設計変更を行ってもよい。
【図面の簡単な説明】
【００２８】
【図１】実施形態に係る鍵盤楽器演奏用椅子の概略斜視図。
【図２】図１の背面図。
【図３】図１の右側面図。
【図４】変形例に係る鍵盤楽器演奏用椅子の図１と同様の背面図。
【図５】図４の鍵盤楽器演奏用椅子の右側面図。
【符号の説明】
【００２９】
１０・・・椅子、１１・・・座部、１２・・・支持体、１４・・・背もたれ、１５・・・肘掛け、１５Ａ・・・上面部、２５・・・後部連結体、２９，３６・・・ボルト部材、３２・・・側部連結体
【図１】
2007020984.tif 000003
【図２】
2007020984.tif 000004
【図３】
2007020984.tif 000005
【図４】
2007020984.tif 000006
【図５】
2007020984.tif 000007